(57)【要約】【課題】フレキシブルコントローラーを結合したスイッチ組み立てセットとその電機製品上での応用の提供。【解決手段】フレキシブルコントローラーを結合したスイッチ組み立てセットはフレキシブル伝導線を連接する結合ユニットにより、スイッチの背後に迅速に結合し、スイッチは移動動作を生じ伝導線を圧迫し、該伝導線内部の自在にスライド移動する芯線を経由しリモートエンドに伝達する。本発明は電機スイッチに応用し、公知の電機スイッチを本発明機能と効果を具える特殊電機スイッチに簡単に改装造することができ、パネル上の電機スイッチを制御することができる。こうして一個或いは多数の電気標的物を遠距離操作で制御可能とする。【選択図】図２
2008293785.tif 000002
【特許請求の範囲】
【請求項１】
フレキシブルコントローラーを結合したスイッチ組み立てセットはフレキシブル伝導線を連接する結合ユニットにより、分解自在に電機スイッチの背後に結合し、該電機スイッチが生じる移動動作を該伝導線内部の自在にスライド移動する芯線を経由し伝達することを特徴とするフレキシブルコントローラーを結合したスイッチ組み立てセット。
【請求項２】
請求項１記載のフレキシブルコントローラーを結合したスイッチ組み立てセットにおいて、前記フレキシブルコントローラーを結合したスイッチ組み立てセットは伝導線、結合ユニットを含み、
該伝導線は少なくとも一個のスリーブを含み、該スリーブは第一端と第二端を具え、及び該スリーブ内において自在にスライド移動する芯線を具え、該芯線は該スリーブの該第一端と該第二端において露出し、
該結合ユニットの本体は結合組合せ部品を具え、分解自在に電機スイッチに結合し、該本体は該スリーブの該第一端を固定し、これにより該スリーブの該第一端において露出する芯線は電機スイッチが生じる移動動作を受けることを特徴とするフレキシブルコントローラーを結合したスイッチ組み立てセット。
【請求項３】
請求項１記載のフレキシブルコントローラーを結合したスイッチ組み立てセットにおいて、前記フレキシブルコントローラーを結合したスイッチ組み立てセットは伝導線、補助結合ユニット、結合ユニットを含み、
該伝導線は少なくとも一個のスリーブを含み、該スリーブは第一端と第二端を具え、及び該スリーブ内において自在にスライド移動する芯線を具え、該芯線は該スリーブの該第一端と該第二端において露出し、
該補助結合ユニットの本体は第一結合組合せ部品を具え、分解自在に電機スイッチに結合し、及び少なくとも一個の第二結合組合せ部品を具え、
該結合ユニットの本体は結合組合せ部品を具え、分解自在に該補助結合ユニットの該第二結合組合せ部品に結合し、該結合ユニットの該本体は該スリーブの該第一端を固定し、これにより該スリーブの該第一端において露出する芯線は電機スイッチが生じる移動動作を受けることを特徴とするフレキシブルコントローラーを結合したスイッチ組み立てセット。
【請求項４】
請求項１記載のフレキシブルコントローラーを結合したスイッチ組み立てセットにおいて、前記フレキシブルコントローラーを結合したスイッチ組み立てセットはさらにサポートフレームユニット、結合ヘッドを含み、
該サポートフレームユニットはコントロールしようとする電気標的物に固定接続し、
該結合ヘッドは該伝導線の該第二端を該サポートフレームユニット上に結合することを特徴とするフレキシブルコントローラーを結合したスイッチ組み立てセット。
【請求項５】
請求項１記載のフレキシブルコントローラーを結合したスイッチ組み立てセットにおいて、前記芯線は硬質線、バネ線、或いはその他の位置エネルギーを伝達可能な適当な芯線の内の少なくとも一つで、該芯線の端部には押し片を設置し、さらには該押し片端にはより大きい或いはより長い補助押し片を増設することを特徴とするフレキシブルコントローラーを結合したスイッチ組み立てセット。
【請求項６】
請求項１記載のフレキシブルコントローラーを結合したスイッチ組み立てセットにおいて、前記伝導線は湾曲可能なフレキシブル伝導線で、回転自在に枢設することを特徴とするフレキシブルコントローラーを結合したスイッチ組み立てセット。
【請求項７】
請求項１記載のフレキシブルコントローラーを結合したスイッチ組み立てセットにおいて、前記伝導線のスリーブと該スリーブ内の芯線の間にはさらに中間層を含み、該中間層内部には管状通路を構成し、該芯線はその中において自在にスライド移動することを特徴とするフレキシブルコントローラーを結合したスイッチ組み立てセット。
【請求項８】
請求項４記載のフレキシブルコントローラーを結合したスイッチ組み立てセットにおいて、前記サポートフレームユニットはサポートフレームを含み、その底板はコントロールしようとする電気標的物に固定接続し、その上板は該結合ヘッドと固定し、該フレキシブル伝導線のスリーブの該第二端の芯線は該結合ヘッド内に予め設置する孔を通過し、該電気標的物の被コントロール部分に対応することを特徴とするフレキシブルコントローラーを結合したスイッチ組み立てセット。
【請求項９】
請求項４記載のフレキシブルコントローラーを結合したスイッチ組み立てセットにおいて、前記サポートフレームユニットのサポートフレームは該電気標的物上に直接固定することが可能であることを特徴とするフレキシブルコントローラーを結合したスイッチ組み立てセット。
【請求項１０】
請求項４記載のフレキシブルコントローラーを結合したスイッチ組み立てセットにおいて、前記電機スイッチが生じる移動動作は電気標的物のトリップ動作スイッチに伝達されることを特徴とするフレキシブルコントローラーを結合したスイッチ組み立てセット。
【請求項１１】
フレキシブルコントローラーを結合する電機スイッチは、電機スイッチ、少なくとも一個のフレキシブルコントローラー組合せ部品を含み、
該電機スイッチの機械動作は移動動作を生じ、
該少なくとも一個のフレキシブルコントローラー組合せ部品は伝導線、結合ユニットを含み、
該伝導線は少なくとも一個のスリーブを含み、該スリーブは第一端と第二端を具え、及び該スリーブ内において自在にスライド移動する芯線を具え、該芯線は該スリーブの該第一端と該第二端において露出し、
該結合ユニットの本体は結合組合せ部品を具え、分解自在に該電機スイッチに結合し、該本体は該スリーブの該第一端に固定し、これにより該スリーブの該第一端において露出する芯線は電機スイッチが生じる移動動作を受けることを特徴とするフレキシブルコントローラーを結合する電機スイッチ。
【請求項１２】
請求項１１記載のフレキシブルコントローラーを結合する電機スイッチにおいて、前記フレキシブルコントローラーを結合する電機スイッチはさらに補助結合ユニットを含み、  該補助結合ユニットは分解自在に少なくとも一組の該フレキシブルコントローラー組合せ部品を結合後、該補助結合ユニットはさらに分解自在に該電機スイッチに結合することを特徴とするフレキシブルコントローラーを結合する電機スイッチ。
【請求項１３】
フレキシブルコントローラーを結合したスイッチ組み立てセットの背後にはフレキシブル伝導線を固定し、該電機スイッチが生じる移動動作を該伝導線内部の自在にスライド移動する芯線を経由し伝達することを特徴とするフレキシブルコントローラーを結合したスイッチ組み立てセット。
【請求項１４】
コントローラーを具えるスイッチ組み立てセットを構成する方法は以下の方法を含み、  少なくとも一個の伝導線を具えるコントローラーを構築し、
該結合ユニットをそれぞれのフレキシブル伝導線を具えるコントローラー端部において設置し、
該結合ユニットとスイッチの結合部品を相互に対応させ、しかも相互に結合、或いは分解が可能であることを特徴とするコントローラーを具えるスイッチ組み立てセットを構成する方法。
【請求項１５】
請求項１４記載のコントローラーを具えるスイッチ組み立てセットを構成する方法において、前記コントローラーを具えるスイッチ組み立てセットを構成する方法はさらに以下の方法を含み、
補助結合ユニットを構成し、
第一結合組合せ部品は該補助結合ユニットの第一端に設置し、これにより該第一結合組合せ部品は結合、或いは分解自在に電機スイッチに結合し、
第二結合組合せ部品は該補助結合ユニットの第二端に設置し、これにより該第二結合組合せ部品は結合、或いは分解自在に該コントローラー端部の結合ユニットに結合することを特徴とするコントローラーを具えるスイッチ組み立てセットを構成する方法。
【請求項１６】
請求項１４記載のコントローラーを具えるスイッチ組み立てセットを構成する方法において、前記伝導線はフレキシブル材質により形成し、しかも該各伝導線のスリーブ中において自在にスライド移動可能な芯線を装着し、該芯線により該スイッチが生じる位置エネルギーを伝達することを特徴とするコントローラーを具えるスイッチ組み立てセットを構成する方法。
【請求項１７】
フレキシブルコントローラーを結合したスイッチ組み立てセットを電機製品上で応用する方法は以下の方法を含み、
フレキシブル伝導線を連接するコントローラーの第一端を電機スイッチの背後に結合し、
さらに該コントローラーの第二端を電気標的物に結合し、これにより電機スイッチが生じる移動動作は該伝導線内部の自在にスライド移動する芯線を経由し電気標的物に伝達されることを特徴とするフレキシブルコントローラーを結合したスイッチ組み立てセットを電機製品上で応用する方法。
【請求項１８】
請求項１７記載のコントローラーを具えるスイッチ組み立てセットを構成する方法において、前記コントローラーの第一端は結合ユニットにより分解自在に該電機スイッチの背後に結合されることを特徴とするコントローラーを具えるスイッチ組み立てセットを構成する方法。
【発明の詳細な説明】
【技術分野】
【０００１】
本発明は一種のフレキシブルコントローラーを結合したスイッチ組み立てセットとその電機製品上での応用に関する。特に一種の電機システム制御に応用可能な装置で、電機スイッチの背後に迅速に結合でき、該電機スイッチが生じる移動動作をフレキシブル伝導線内部を自在にスライド移動可能な芯線を通してリモートエンドの装置に伝達するフレキシブルコントローラーを結合したスイッチ組み立てセットとその電機製品上での応用に係る。
【背景技術】
【０００２】
電機システムは異常な電流過負荷の事故を防止するため、配電回路の多くはノーヒューズブレーカー（No-Fuse Breaker， NFBと略称。別名Molded Case Circuit Breaker， MCCBと略称。或いは別名Mini- Circuit Breaker， MCBと略称）を設置し、該セクション回路の電源供給スイッチとする。該装置の別の主要作用は該セクション回路に過電流（OVERCURRENT）が生じた時、直ちにトリップし電源を切断することで、これにより大量の漏電、またはコントローラー或いは電力使用設備のショートを防止する。電機システムにおいては、システムの突然の電源切断時に、どのセクションの回路の供給に異常が生じたかを即時に判断することが必要である。
【０００３】
電機回路システム中にノーヒューズブレーカーを設置する最も主要な目的は、回路を流れる電流に異常が生じ、或いは過負荷電流が生じても、即時にトリップ（TRIP）し電源を切断することである。これにより危険の発生を防止するが、人為的なオフ（OFF）操作、或いはノーヒューズブレーカーによるトリップのために回路は通電を停止するため、電機回路システムの電源切断後、離れた場所にあるコントロールセンターの管理人員は、電源切断の原因はノーヒューズブレーカーが正常に人為的にオフ（OFF）にされたのか、或いは回路の過負荷或いは故障によりノーヒューズブレーカーがトリップし電源が切断されたのかを判断することはできない。別に、ノーヒューズブレーカーのトリップ機能が良好であるかどうかも定期的或いは必要時にテストし、電機の安全性を確保しなければならない。そのためいかにして遠距離でノーヒューズブレーカーをテストするかは、研究に値する問題である。
【０００４】
電機設備においてなくてはならない電機部品は操作パネル上の電機スイッチにより直接コントロールすることが必要で、最も卑近な例では、モーター制御センター（MCC）トリップ動作スイッチのテスト作業である。
遠距離でトリップ動作スイッチのテスト作業を完成するため、公知の技術では図１に示すように、長柄36を具える電機スイッチ30を特別に生産し、操作パネル70上に装置する。該長柄36の長さは各スイッチボックス、或いは電気標的物のサイズ、各メーカー製品に応じて異なるため、標準規格化が非常に難しい。よってきわめて多種の長さを用意する必要があり、短すぎる長柄では長さが足りず、電気標的物に接触し作動させられないという問題が生じる。押されるべき電気標的物40の被コントロール部分41も、操作パネル内の配電ボックス中に正確に装置されなければならず、さもなければ電機スイッチ30のボタン31が付帯する長柄36を推動し、ノーヒューズブレーカーのトリップ動作（TRIP）スイッチ等の該電気標的物40の被コントロール部分41を正確に押すことはできない。
【０００５】
上記のように該各公知の技術は、長い間不正確さに影響を及ぼす素因と設置上の困難を抱えて来たため、配電盤の生産と設置は容易ではなかった。しかも使用中には配電盤の操作パネル上のスイッチの緩み、或いは配電盤の操作パネルが衝撃、震動を受ける等の素因により空間位置が変化し、電機スイッチのボタンに付帯する長柄に影響を及ぼし、電気標的物に照準を合わせることができなくなり、該長柄の電気標的物へのコントロール動作の失効を招いていた。
【発明の開示】
【発明が解決しようとする課題】
【０００６】
本発明の主要な目的は、フレキシブルコントローラーを結合したスイッチ組み立てセットを提供し、公知の電機スイッチを遠距離で電気標的物を操作制御可能な装置に簡単に改装造することができる。
【０００７】
本発明の目的は、フレキシブルコントローラーを結合したスイッチを提供し、該フレキシブルコントローラー構造は簡単で、生産は容易で、設置は便利で、公知の電機スイッチのフレキシブルコントローラーのスイッチ組み立てセットに結合可能で、公知の配電盤の生産と設置が共に容易でないとの問題を解決することができ、これによりその製造と設置をより便利で弾力的にする。
【０００８】
本発明の目的は、フレキシブル伝導線と一体に固定する電機スイッチを提供し、公知の配電盤の生産と設置が共に容易でないとの問題を解決することができ、これによりその製造と設置をより便利で弾力的にする。
【０００９】
本発明の目的は、フレキシブルコントローラーを結合したスイッチ組み立てセットを電機製品上で応用する方法を提供し、これにより電機スイッチが生じる移動動作を電気標的物に正確に伝達可能とする。
【００１０】
本発明の目的は、フレキシブルコントローラーを結合したスイッチ組み立てセットの製造方法を提供し、公知の配電盤の生産と設置が共に容易でないとの問題を解決することができ、これによりその製造と設置をより便利で弾力的にする。
【課題を解決するための手段】
【００１１】
上述の目的を達成するため、本発明はフレキシブルコントローラーを結合したスイッチ組み立てセット、及びその製造、応用方法を設計し、公知のスイッチと特に電機スイッチの対応結合の設計概念を単純化する。本発明はフレキシブル伝導線を連接する結合ユニットにより、公知の電機スイッチの背後に簡単かつ迅速に結合可能で、電機スイッチが移動動作を生じ伝導線を圧触する時、該伝導線内部の自在にスライド移動可能な芯線により位置エネルギーを伝達し、遠距離にある物件、例えば電気標的物に対して圧触の制御を生じることができる。
【００１２】
すなわち本発明のコントローラーを結合したスイッチ組み立てセットの最適実施例は伝導線、結合ユニットを含む。
該伝導線は少なくとも一個のスリーブを具える。該スリーブは第一端と第二端を具え、及び該スリーブ内において自在にスライド移動する芯線を具え、該芯線はスリーブの第一端と第二端において露出し、該第一端がコントロールを受けると、該第二端により位置エネルギーを標的物件に伝達し制御を達成する。前記結合ユニットの本体は結合組合せ部品を具え、分解自在に電機スイッチに結合する。該結合ユニットの本体はスリーブの第一端を固定し、これにより該スリーブの第一端において露出する芯線は電機スイッチが生じる移動動作を受け取ることができる。
【００１３】
別種の最適実施例では、本発明フレキシブルコントローラーを結合したスイッチ組み立てセットは伝導線、結合ユニット、補助結合ユニットを含む。
該伝導線の構造は前記第一種実施例の説明の通りで、該補助結合ユニットの本体は第一結合組合せ部品を具え、分解自在に電機スイッチに結合する他に、別に少なくとも一個の第二結合組合せ部品を具え少なくとも一個の結合ユニットに結合する。すなわち、該結合ユニットの本体は結合組合せ部品を具え、分解自在に前記補助結合ユニットの第二結合組合せ部品に結合する。前記第一種実施例同様、該結合ユニットの本体はスリーブの第一端を固定し、これにより該スリーブの第一端において露出する芯線は電機スイッチが生じる移動動作を受け取ることができ、電機スイッチの移動エネルギーは、電気標的物の被コントロール部分等のリモートエンドの標的物件を正確にコントロールすることができる。
【００１４】
本発明の典型的な用途は、電機スイッチが生じる移動動作が電気標的物のトリップ動作スイッチに伝達され、トリップ動作スイッチを作動させることである。つまり、本発明はフレキシブルコントローラーを結合したスイッチ組み立てセットを電機製品上で応用する方法を含む。該方法はフレキシブル伝導線を連接するコントローラーの第一端を電機スイッチの背後に結合し、さらに該コントローラーの第二端を電気標的物に結合し、これにより電機スイッチが生じる移動動作は該伝導線内部の自在にスライド移動する芯線を経由し電気標的物に伝達される。内、最適なサブ方法は、該コントローラーの第一端は結合ユニットにより分解自在に該電機スイッチの背後に結合されるものである。
【００１５】
本発明のフレキシブル伝導線は、結合ユニットにより組合せ固定するのではなく、電機スイッチと直接一体に固定することもできる。電機製品上で常用されるボタン或いはダイヤル等のボタンスイッチ或いはダイヤルスイッチは操作部を具え、しかもバネを具えるため動作後は原状を回復する。何れにしろ、該電機スイッチ内部には軸方向の移動エネルギーを生じることができる動作部品を具える。該電機スイッチの背部には内部にスライド移動可能な芯線を具える伝導線を固定し、該芯線は電機スイッチ内の動作部品により制御される。該電機スイッチの底蓋と肩縁の間には空間を具え、該伝導線のスリーブの一端の突縁は該空間中に保持される。
【００１６】
本発明は上記のどの種の方式により実施しようとも、前記装置はサポートフレームユニットを含み、コントロールしようとする電気標的物に固定接続し、また結合ヘッドを含み、該伝導線の第二端を該サポートフレームユニット上に結合する。
【００１７】
本発明前記のサポートフレームユニットの最適実施例はサポートフレームを含み、該サポートフレームの底板はコントロールしようとする電気標的物に固定接続し、しかも該結合ヘッドと固定する。上記フレキシブル伝導線のスリーブの該第二端の芯線は該結合ヘッド内に予め設置する孔を通過し、電気標的物の被コントロール部分に照準を合わせる。別種のより簡単な実施方式では、該サポートフレームユニットのサポートフレームはその他同等効果の方法を用い、電気標的物上に固定する。
【００１８】
本発明前記最適実施例中の芯線の最適例は硬質線、バネ線、或いはその他位置エネルギーを伝達可能な適当な芯線の内、少なくともその中の一つで、該芯線の端部には押し片を設置し、さらには該押し片端にはより大きい或いはより長い補助押し片を設置し、こうしてあるメーカーのノーヒューズブレーカーの異なる大きさの被コントロール部分に対してコントロールを可能とする。
【００１９】
該伝導線の最適例は湾曲可能なフレキシブル伝導線で、回転自在に枢設する。摩擦阻害力を低下させ、より遠くの電気標的物を制御可能とするため、該伝導線のスリーブと該スリーブ内の芯線の間の最適例は中間層を含む。該中間層内部には管状通路を構成し、該芯線はその中においてスライド移動可能となる。さらに細部の設計では、該伝導線のスリーブ両端にはそれぞれ突縁を形成し、これにより該伝導線のスリーブ両端はそれぞれ回転自在に枢設され、該伝導線のスリーブは固定されるが回転可能である。
【００２０】
該サポートフレームユニット細部の設計はサポートフレームを含み、該サポートフレームは底板と上板を具える。該底板はコントロールしようとする電気標的物に固定接続し、該上板は該フレキシブル伝導線のスリーブの第二端を固定し、該上板は該伝導線の芯線を通過させる孔を具え、該電気標的物の被コントロール部分に対応する。該サポートフレームユニットのサポートフレームは上板の高度とその揺動角度を調整可能な構成部品を具える。
【発明の効果】
【００２１】
本発明の機能と効果から生じる典型的な用途は、制御センターに比較的離れた位置において一個或いは多数の電気標的物を操作制御可能とする。特に、本発明の設計は公知の電機スイッチに利用可能で、これにより本発明の装置に簡単に改装造することができる。本発明のフレキシブルコントローラーの構造は、公知の移動エネルギーを生じることができるスイッチに迅速に結合可能で、特にこれにより電機スイッチは電気標的物を正確にコントロール可能となる。よって、設置時にスイッチにおいて煩雑な対応作業を不要としながら、電機部品のトリップ動作スイッチを制御することができ、設置とメンテナンス作業を単純化し、公知技術に存在した設置が困難という問題を解決することができる。本発明により、電機スイッチは距離を隔てながらも電気標的物を正確にコントロール可能となり、さらに制御センターはより離れた距離からも一個或いは多数の電気標的物を操作制御可能な電動装置を提供することができ、設置の利便性と弾力性を高め、より幅広い適用性を提供することができる。
【発明を実施するための最良の形態】
【００２２】
本発明のフレキシブルコントローラーを具えるスイッチ組み立てセットを構成する方法は図２と図３に示す。図中の往復矢印は結合、或いは分解可能であることを示す。また電機スイッチ30を説明例とするが、一般の電機スイッチ30は相同規格の結合部品を具え、電線のコネクターを結合し設置する。該結合部品は一般には一対のフランジ33を具える。よって、設計上は特殊なフレキシブルの伝導線10を具えるコントローラーを設計する必要がある他に、該コントローラーと固定する結合ユニット20を設計し、しかも該結合ユニット20は該フランジ33と相互に対応する必要がある。こうして該フレキシブルの伝導線10を具えるコントローラーと電機スイッチ30は図３、或いは図２に示すように分解自在に結合する。
【００２３】
次に図４がさらに示すように、補助結合ユニット25を設計する。
該補助結合ユニット25の本体は第一結合組合せ部品27を具え、分解自在に電機スイッチ30に結合する他に、別に少なくとも一個の第二結合組合せ部品28を具え、少なくとも一個の前記結合ユニット20を結合する。このような設計により、一個の電機スイッチ30は多数の伝導線10の伝達を経て、同時に多数の電気標的物を駆動、制御することができる。
【００２４】
図５の最適実施例に示すように、本発明フレキシブルコントローラーを結合したスイッチ組み立てセットは、内部に自在にスライド移動可能な芯線11を具える伝導線10により、操作パネル70上の電機スイッチ30はボタン31が生じる移動動作を電気標的物40の被コントロール部分41に伝達し、該電気標的物40は動作を生じる。該電気標的物40はノーヒューズブレーカー等で、その被コントロール部分41の最も典型的な例はトリップ動作スイッチである。こうして修復或いは検査中に、モーター制御センター（MCC）は距離を隔てても操作制御可能でトリップ動作を生じさせることができる。
【００２５】
図５に示すように、本発明のフレキシブルコントローラーの最適実施例は伝導線10、と結合ユニット20を含む。
該伝導線10は少なくとも一個のスリーブ12を具え、該スリーブ12は第一端（図示中では上端）と第二端（図示中では下端）、及び該スリーブ12内において自在にスライド移動する芯線11を具える。該芯線11はスリーブ12の第一端と第二端において露出し、これにより該第一端の端頭110が電機スイッチ30のボタン31の駆動部品311によりコントロールされると、該芯線11を経て第二端の押し片14により位置エネルギーを標的物件に伝達する。電気標的物40はノーヒューズブレーカーの被コントロール部分41、又はトリップ動作スイッチで、制御の目的を達成する。言い換えれば、本発明の典型的な用途の一つは、該電機スイッチ30が生じる移動動作をノーヒューズブレーカーのトリップ動作スイッチに伝達し、これによりそのトリップ（TRIP）動作スイッチは電源を切断する。
前記結合ユニット20の本体21は結合組合せ部品22を具え、その最適例はプラスチック成型による弾性を具えるフランジを爪端とし、該電機スイッチ30下縁のフランジ33上に嵌合する。こうして該結合ユニット20は分解自在に電機スイッチ30に結合する。該結合ユニット20の本体21は該スリーブ12の第一端を固定し、これにより該スリーブ12の第一端において露出する芯線11の端頭110はボタン31の駆動部品311により圧迫コントロールされ、該芯線11は電機スイッチ30のボタン31が生じる移動動作を受ける。
【００２６】
別種の最適実施例である図６と図７に示すように、本発明のフレキシブルコントローラーは少なくとも一個の伝導線10、少なくとも一個の結合ユニット20、補助結合ユニット25を含む。
該伝導線10の構造は前記第一種実施例の説明の通りで、該補助結合ユニット25の本体26は第一結合組合せ部品27を具え（図７中の補助結合ユニット25の上端内縁に示す）、分解自在に電機スイッチ30に結合する他、別に少なくとも一個の第二結合組合せ部品28（図７中の補助結合ユニット25の下端外縁に示す）を具え、少なくとも一個の前記結合ユニット20を結合する。図６に示すように、該電機スイッチ30に結合する補助結合ユニット25は多数、或いは二個の結合ユニット20により組合され、該ボタン31の下端の駆動部品311は同時に二個の結合ユニット20内芯線11の端頭110を圧迫コントロールする。すなわち、該各結合ユニット20の本体21は結合組合せ部品22を具え、分解自在に前記補助結合ユニット25の第二結合組合せ部品28に結合する。前記第一種実施例同様に、該結合ユニット20の本体21は該スリーブ12の第一端を固定し、該スリーブ12の第一端において露出する芯線11は該電機スイッチ30が生じる移動動作を受けることができ、該電機スイッチ30の移動エネルギーはリモートエンドの標的物件を正確にコントロールする。電気標的物の典型的な例は、ノーヒューズブレーカーの被コントロール部分で、ノーヒューズブレーカーのトリップ動作スイッチ等である。
【００２７】
前記最適実施例は本発明フレキシブルコントローラーの説明であるが、製品型態から言えば、本発明は公知の電機スイッチと結合し組成品とすることができる。この時、本発明が組成する電機スイッチ30の組合せ部品を利用し、その空間構造型態は伝統的な電機スイッチ30のようであるが、その背部には少なくとも一組の電機スイッチにおいて迅速結合、分解が可能なフレキシブルコントローラーを具える。これにより該電機スイッチの機械動作は移動動作を生じ、少なくとも一個のフレキシブルコントローラー組合せ部品を具える。該各フレキシブルコントローラー組合せ部品は内部にスライド移動可能な芯線11を具える伝導線10を固定し、該芯線11は該電機スイッチ30内のボタン31により制御される。該伝導線10は少なくとも一個のスリーブ12と該スリーブ12内において自在にスライド移動可能な芯線11を具え、該芯線11は硬質線、バネ線、或いはその他位置エネルギーを伝達可能な適当な芯線で、最適例はバネワイヤー線である。該伝導線10の最適例は湾曲可能なフレキシブル伝導線で、最適例は該スリーブ12と該芯線11間にさらに中間層を含み、該中間層内部には管状通路を構成し、該芯線11はその中でスライド移動が可能である。
【００２８】
本発明は上記のどの種の方式を実施しようとも、その装置は図５に示すように、サポートフレームユニット50と結合ヘッド60を含む。
該サポートフレームユニット50はコントロールしようとする電気標的物に固定接続し、該結合ヘッド60は該伝導線10の第二端を該サポートフレームユニット50上に結合し、電気標的物40の被コントロール部分41に接近する。
前記伝導線10のスリーブ12両端にはそれぞれ突縁121と122を具える。内、該突縁121は回転自在に結合ユニット20内に枢設されるため、該伝導線10のスリーブ12は該結合ユニット20と固定するが回転が可能である。また、該伝導線10の反対端の突縁122は結合ヘッド60内に結合し、該結合ヘッド60と固定するが回転が可能である。
該結合ヘッド60の本体上端には蓋板61を固定し、該伝導線10が蓋板61に予め設置する孔を通過後、ボルト62の後端を本体中に螺入し固定する。前方へと突出するボルト62は該サポートフレームユニット50の上板53に螺入後、ナット63により固定する。よって、該伝導線10のスリーブ12は該結合ヘッド60と固定するが回転が可能である。該スリーブ12の突縁122は該結合ヘッド60の本体内の孔中に保持され、つまり該結合ヘッド60の蓋板61とボルト62間において回転が可能である。該スリーブ12内の自在にスライド移動する芯線11は該ボルト62内に予め設置する孔を継続し通過し該ボルト62外に露出し、押し片14を結合する。これはすべて該結合ヘッド60と該スリーブ12の組合せの細部設計実施例である。
該伝導線10内部の芯線11下端に設置する押し片14はより大きい或いはより長い補助押し片13を増設することができ、これによりあるメーカーのノーヒューズブレーカーの異なる大きさの被コントロール部分41に対応可能となり、コントロールが有効となる。
【００２９】
前記サポートフレームユニット50はサポートフレーム51を含み、その底板52は該コントロールしようとする電気標的物40に固定接続し、さらには該電気標的物40上に直接固定することもできる。図示の実施例に示すように、その上板53は該フレキシブルの伝導線10のスリーブ12の第二端を固定し、該伝導線10を通過させる孔を具え、これにより該芯線11は該電気標的物40の被コントロール部分41に対応する。該サポートフレームユニット50のサポートフレーム51は該上板53の高度を調整するボルト等の構成部品と揺動角度と水平位置を調整するための設計部品、例えば、上板53上に長形孔である調整孔等を具える。こうして本発明は異なるメーカーの製品、異なる大きさの電気標的物に対応し設置することができる。
【００３０】
図８に示すように、本発明のフレキシブルの伝導線10はまた、結合ユニットにより組合せ固定するのではなく、該電機スイッチ30と直接固定し一体を形成することができる。該配電ボックス操作パネル70上のボタンスイッチ或いはダイヤルスイッチは例えば、ボタン31或いはダイヤル等の操作部を具える。しかもバネ35を具え、その動作後は原状を復帰する。いずれにしても、該電機スイッチ30内部で軸方向の移動エネルギーを生じることができる動作部品を具える。該電機スイッチ30の背部には内部にスライド移動可能な芯線11を具える伝導線10を固定し、該芯線11は該電機スイッチ30内の動作部品により制御される。該電機スイッチ30の底蓋34と肩縁32の間には空間を具え、該伝導線10のスリーブ12の一端の突縁121は該空間中に保持される。
【図面の簡単な説明】
【００３１】
【図１】公知の長柄を具える電機スイッチ操作パネルに設置し、電気標的物を制御する概略図である。
【図２】本発明のフレキシブルコントローラーを具えるスイッチ組み立てセットを構成する方法の概略図である。
【図３】図２に類似するが、結合中の状態を説明する概略図である。
【図４】本発明のフレキシブルコントローラーを具えるスイッチ組み立てセットを構成する別種の方法の概略図である。
【図５】本発明フレキシブルコントローラーを結合したスイッチ組み立てセット最適実施例の平面断面概略図である。
【図６】本発明スイッチ組み立てセットの第二種最適実施例の平面組合せ概略図である。
【図７】図６のA-A線における断面図である。
【図８】図５の実施例とは異なる部分の構造だけを示す本発明スイッチ組み立てセットの第三種最適実施例の断面概略図である。
【符号の説明】
【００３２】
10  伝導線
11  芯線
110  端頭
12  スリーブ
13    補助押し片
14    押し片
121  突縁
122  突縁
20  結合ユニット
21  本体
22  結合組合せ部品
25  補助結合ユニット
26  本体
27  第一結合組合せ部品
28  第二結合組合せ部品
30  電機スイッチ
31  ボタン
32  肩縁
33  フランジ
311  駆動部品
34  底蓋
35  バネ
40  電気標的物
41  被コントロール部分
50  サポートフレームユニット
51  サポートフレーム
52  底板
53  上板
60  結合ヘッド
61  蓋板
62  ボルト
63  ナット
70  操作パネル
【図１】
2008293785.tif 000003
【図２】
2008293785.tif 000004
【図３】
2008293785.tif 000005
【図４】
2008293785.tif 000006
【図５】
2008293785.tif 000007
【図６】
2008293785.tif 000008
【図７】
2008293785.tif 000009
【図８】
2008293785.tif 000010